(57)【要約】【課題】高い公称電源電圧でのランプの作動をより信頼性高くできる上記タイプのグロースイッチスタータを提供する。【解決手段】本発明はグロースイッチスタータ１、そのスタータを備えた照明装置およびそのスタータの使用方法に関する。このグロースイッチスタータ１は、実質的に共通２３０Ｖの電源電圧２６よりも実質的に高い三相の電源電圧で使用するようになっている。これによって、例えば蛍光ランプ２０内でのガス放電をより効率的にし、および／またはランプ電力をより大きくし、および／またはバラスト２２およびランプ電極におけるエネルギー損失をより少なくできる。グロースイッチスタータをかかる使用に適すようにするため、本発明によれば、スタータ１の放電ガスが使用される。重要な基準は、スタータによってスタートされる蛍光ランプの定常作動におけるグロー電流が、（バイメタル）スイッチが閉じるのを防止するのに十分小さいことである。【選択図】図１
2008532239.tif 000002
【特許請求の範囲】
【請求項１】
実質的に気密なハウジング（３）と、イオン化可能な充填ガス（５）と、少なくとも２つの電極（７、９）と、少なくとも１つのバイメタルスイッチングデバイス（１１）とを備え、前記イオン化可能な充填ガス（５）は、室温にて３〜６０ｍｂａｒの全圧力を有すると共に、ヘリウム、ネオン、クリプトン、キセノン、窒素および水素、またはそれらの混合物の群のうちの少なくとも１つを備え、
前記イオン化可能な充填ガス（５）内には１０％未満、好ましくは２％未満の相対量のアルゴンが存在し、前記イオン化可能な充填ガス（５）内には１０％未満、好ましくは２％未満の全相対量の炭化水素が存在する、蛍光ランプ（２）と共に使用するよう構成されたグロースイッチスタータ（１）。
【請求項２】
全圧力が少なくとも５ｍｂａｒ、より好ましくは少なくとも１０ｍｂａｒである請求項１記載のグロースイッチスタータ（１）。
【請求項３】
前記イオン化可能な充填ガス（５）内には、１０％未満、好ましくは２％未満の相対量のネオンが存在する請求項１又は請求項２に記載のグロースイッチスタータ（１）。
【請求項４】
前記イオン化可能な充填ガス（５）は、実質的にヘリウムを含む請求項１乃至３の何れか１項に記載のグロースイッチスタータ（１）。
【請求項５】
前記イオン化可能な充填ガス（５）は、３〜１０ｍｂａｒの間の圧力のクリプトンを実質的に含む請求項１乃至３の何れか１項に記載のグロースイッチスタータ（１）。
【請求項６】
前記イオン化可能な充填ガス（５）は、３〜１５ｍｂａｒの間の圧力のキセノンを実質的に含む請求項１乃至３の何れか１項に記載のグロースイッチスタータ（１）。
【請求項７】
前記イオン化可能な充填ガス（５）は、ヘリウムおよびキセノン、クリプトン、水素、窒素またはそれらの混合物のうちの少なくとも１つを含み、ヘリウムと（キセノン、クリプトン、水素、窒素またはそれらの混合物）との比は１.５：１〜２００：１の間である請求項１乃至３の何れか１項に記載のグロースイッチスタータ（１）。
【請求項８】
前記ガス圧力は、１０ｍｂａｒ〜３５ｍｂａｒの間である請求項７記載のグロースイッチスタータ（１）。
【請求項９】
前記イオン化可能な充填ガス（５）は、水素または窒素、もしくはそれらの混合物を実質的に含む請求項１乃至３の何れか１項に記載のグロースイッチスタータ（１）。
【請求項１０】
実質的に気密なハウジング（３）と、イオン化可能な充填ガス（５）と、少なくとも２つの電極（７、９）と、少なくとも１つのバイメタルスイッチングデバイス（１１）とを備えた、グロースイッチスタータ（１）において、
適当なバラスト（２２）に直列に接続されたガス放電ランプ（２０）の両端に、前記グロースイッチスタータ（１）が接続され、少なくとも２５０Ｖの公称三相幹線電圧（２６）にて定常状態で作動するときに、グロースイッチスタータ（１）が、安定な閉じていない位置に留まるように前記イオン化可能な充填ガス（５）が、選択されているグロースイッチスタータ（１）。
【請求項１１】
前記ガス放電ランプ（２０）が定常状態で作動しているときに、前記グロースイッチスタータ（１）は、４ミリアンペア未満の平均パラレルグロー電流を運ぶよう、前記イオン化可能な充填ガス（５）が選択されているようになっている請求項１０に記載のグロースイッチスタータ（１）。
【請求項１２】
ガス放電ランプ（２０）と、前記放電ランプ（２０）に適したバラスト（２２）と、請求項１０又は請求項１１に記載のグロースイッチスタータ（１）とを備え、三相幹線電圧電源（２６）で作動するのに適した照明装置。
【請求項１３】
前記ガス放電ランプ（２０）は、低圧水銀蒸気ランプ、特にＵＶ（紫外線）蛍光ランプである請求項１２記載の照明装置。
【請求項１４】
前記ガス放電ランプ（２０）が定常状態で作動しているときに、前記グロースイッチスタータ（１）は、３.５ミリアンペア未満の平均パラレルグロー電流を運ぶよう、前記グロースイッチスタータ（１）の前記イオン化可能な充填ガス（５）が選択されている請求項１２又は請求項１３に記載の照明装置。
【請求項１５】
前記照明装置に接続された三相幹線電圧電源（２６）を更に備え、前記電源（２６）は、少なくとも２５０Ｖｒｍｓの公称電源電圧、好ましくは少なくとも公称４００Ｖの電圧を前記照明装置に供給できるようになっている、請求項１２、１３または１４記載の照明装置を備えた照明システム。
【請求項１６】
日焼け装置を備えた、請求項１５記載の照明システム。
【請求項１７】
作動電圧として三相電圧を有する照明装置内で、請求項１〜１１のいずれかに記載のグロースイッチスタータ（１）を使用する方法。
【発明の詳細な説明】
【技術分野】
【０００１】
本発明は、第１の様相では、実質的に気密なハウジングと、イオン化可能な充填ガスと、少なくとも２つの電極と、少なくとも１つのバイメタルスイッチングデバイスとを備え、蛍光ランプと共に使用するよう構成されたグロースイッチスタータに関する。
【背景技術】
【０００２】
かかるスタータは、当技術分野では周知であり、例えば管状の蛍光灯を点灯するために一般に使用されている。このスタータの機能は、当業者にはよく理解されおり、本発明の理解をするのに適当である場合に限り、以下、詳しく説明する。例えば米国特許第6,657,389号は、放電ランプのためのグロースタータとして使用するためのグロー放電ランプを開示している。充填ガスは、第１成分としてのネオン（少なくとも４０％）と、クリプトン、クセノンおよびアルゴンのうちの少なくとも１つとから成り、ヘリウム、水素または有機ガスを添加することもできる。
【発明の開示】
【発明が解決しようとする課題】
【０００３】
グロースイッチスタータに関する当技術分野における問題は、次のとおりである。ガス放電ランプは点火後の破壊を防止するために電流制限器を必要とする。この電流制限器は、放電ランプと直列接続された大型コイルを備えたバラストを含むことが極めて多い。放電ランプの作動中、放電ランプと、その電極と、バラストを電流が流れる。部品を注意深く選択しても、抵抗加熱によりこれら部品ではエネルギー損失が生じ、その量は、総エネルギー消費量のうちの１０〜１５％、またはそれ以上にも達し得る。
【０００４】
効率を高める１つの方法は、ランプ電圧、例えば放電時の電圧を高めると同時に、全ランプ電力を一定レベルに維持するよう、ランプ電流を少なくすることである。ランプ電流を大きくすることは多数の要因、例えば当然ながら幹線電源電圧に起因して制限される。
【０００５】
幹線電源電圧は、例えば通常２３０〜２４０Ｖの幹線電源電圧の三相巻線を使用することによって高めることができる。これによって、通常約４００Ｖの高い公称電源電圧が得られる。しかしながら、２３０〜２４０ＶＢの幹線接続を三相（４００Ｖ）の接続に単に置換しても、ランプの作動時に問題が生じる。ランプは点滅を呈することがあり、スタータの寿命が短くなることがあるので、このことは望ましくない。
【０００６】
本発明の目的は、２５０Ｖｒｍｓよりも高い公称電源電圧でのランプの作動をより信頼性高くできる上記タイプのグロースイッチスタータを提供することにある。
【課題を解決するための手段】
【０００７】
本発明の第１の様相によれば、この目的は請求項１記載のグロースイッチスタータによって達成される。
【０００８】
本発明者は、高いランプ電圧にて一般的なスタータにおける、より信頼性の低いランプ作動に関係する問題の少なくとも一部は、定常状態でガス放電ランプが作動する間に生じるスタータのパラレルグロー放電に起因するものであることを発見した。このパラレルグロー放電は、実質的にスタータにも供給されるランプ電圧によって生じるものであり、電源電圧がゼロ点を交差した後のランプの再点火中に、スタータの両端のこの電圧が再点火ピークに達し、このピークは所定時間続く。特に再点火ピーク中、スタータの両端の電圧は、生じるスタータのグローイングがバイメタルスイッチを閉じるのに十分な程度、このバイメタルスイッチを加熱し、次にバイメタルスイッチが閉じることによりランプが消灯する。このことは当然ながら好ましいことではない。あるケースでは、再点火後の通常のランプ作動中の加熱は、スタータのバイメタルスイッチを（追加的に）加熱させるだけで十分であることに留意されたい。ここで、パラレルグロー放電は初期スタート中のグロー放電と同じでないことにも留意されたい。当初、ランプはオフ状態で低温であり、スタータの両端にフル幹線電圧が加えられると、これによりスタータはグロー放電の影響のもとで加熱される。このグロー放電は、数回のフルサイクルの間続く。これとは逆に、ランプが高温のときに点火されると、各サイクルの一部の間でしかスタータのパラレルグロー放電は生じることはなく、加熱も最小となるはずである。
【０００９】
本発明に係わるスタータでは、このグロー放電はイオン化可能な適当な充填ガスを使用することによって低減されており、これにより定常状態のランプ作動中のスイッチの加熱を少なくできる。ここで、パラレルグロー電流に起因するスタータスイッチの加熱は、本発明の実施例を説明する際に示される幹線電圧、すなわちランプ電圧の線形関数となっていないことに注目されたい。
【００１０】
有機ガスが存在すると、この有機ガスは、点滅現象を生じさせる公知の原因となることに留意されたい。
【００１１】
アルゴンが存在することも好ましくない。アルゴンが存在すると、好ましくないスパッタリング現象が生じ、このスパッタリング現象により、スタータハウジングの内壁に（電極）金属ガデポジットし、よって回路の短絡が生じ得る。
【００１２】
特別な実施例では、全圧力は少なくとも５ｍｂａｒである。テストによると、かかる最小圧力は、ピーク電圧をより確実に２〜２.５キロボルトより低く維持できる。このことは、ランプの冷間点火または並列コンデンサのブレークダウンを防止するのに好ましいことである。全圧力は少なくとも１０ｍｂａｒであることがより好ましい。１ｍｂａｒは約１０１パスカルであることに留意されたい。
【００１３】
別の特別な実施例では、イオン化可能な充填ガス内に１０％未満、好ましくは２％未満の相対的量のネオンが存在する。ネオン自身は充填ガスと共に使用するのに有効なガスであり、よって排除されないが、一部のケースではネオンの存在量を低減しなければならない。ネオンが存在すると、適当な再点火ピーク電圧の発生に影響することがあり、従ってランプ動作はこの再点火ピークにクリティカルに依存するようなケースでは、ネオンが存在することを防止しなければならない。
【００１４】
特殊な実施例では、イオン化可能な充填ガスは実質的にヘリウムを含む。本明細書において、「実質的」なる用語は、少なくとも９０％含むことを意味するものであるが、他のガスの混合されてもよい。ヘリウムは本発明に係わるイオン化可能な媒体、すなわちガスとして使用するのに適したガスである。更にヘリウムは、スタータの壁を通って容易にリークする性質があり、この性質によってピーク再点火電圧の上昇が生じ得る。このことは、エージングランプの点火をサポートする上で役に立つ。
【００１５】
別の特殊な実施例では、イオン化可能な充填ガスは３〜１０ｍｂａｒの間の圧力のクリプトンを実質的に含む。更に別の実施例では、イオン化可能な充填ガスは３〜１５ｍｂａｒの間の圧力のキセノンを実質的に含む。再び「実質的」なる用語は、少なくとも９０％を含むことを意味するものであり、３〜１０ｍｂａｒの間の全圧力の２つのガスを混合することも可能である。
【００１６】
本発明に係わるグロースイッチスタータの特殊な実施例では、イオン化可能な充填ガスは、イオン化可能な充填ガスは、ヘリウムおよびキセノン、クリプトン、水素、窒素またはそれらの混合物のうちの少なくとも１つを含み、ヘリウムと（キセノン、クリプトン、水素、窒素またはそれらの混合物）との比は１.５：１〜２００：１の間である。キセノン、クリプトン、水素またはそれらの混合物にヘリウムを混合すると、混合ガスのイオン化ポテンシャルがより低くなるので、充填ガスのイオン化をサポートできる。このことは、イオン化されたヘリウムの逃げを所定の程度まで防止できる。その理由は、混合物においてヘリウムはめったにイオン化されないからである。
【００１７】
特にガス圧力は１０〜３５ｍｂａｒの間である。テストによれば、本発明に係わる所望する効果を得るには、この圧力レンジが有利であることが分かった。このレンジは一般的に適用できるが、特に混合物とヘリウムに適用できる。
【００１８】
特殊な実施例では、イオン化可能な充填ガスは水素または窒素、もしくはそれらの混合物を実質的に含み、この場合、イオン化可能な充填ガスは３〜１５ｍｂａｒの圧力のネオンを実質的に含む。これらガスを用いても、適当な点火挙動を得ることができることになる。特に、上記のようにネオンが再点火ピークの質に影響し得ることに留意されたい。更に、表示された圧力レンジ内で本発明に係わる所望する効果を得ることは排除されない。
【００１９】
このことは、組成物および／または圧力での新しい作業に充填ガスを適合させることによって、本問題を克服することを実現できれば、当業者であれば、問題を解決するためにどんな対策をべきかという知識が得られるであろう。換言すれば、本発明は、第１の様相によれば、実質的に気密なハウジングと、イオン化可能な充填ガスと、少なくとも２つの電極と、少なくとも１つのバイメタルスイッチングデバイスと、前記バイメタルスイッチデバイスに電気的に接続されたリード線とを備え、適当なバラストに直列に接続されたガス放電ランプの両端に、前記グロースイッチスタータが接続され、少なくとも２５０Ｖの公称三相幹線電圧にて定常状態で作動するときに、グロースイッチスタータが、安定な閉じていない位置に留まるように前記イオン化可能な充填ガスが、選択されているグロースイッチスタータに関する。特に本発明は、一般的な幹線が約２３０〜２４０Ｖの電源電圧を有するような場所でも一般的に入手できる、公称約４００Ｖの標準的な三相電源電圧に関係している。ここで、上記特別な実施例の特徴事項のすべてを、このパラグラフで説明したグロースイッチスタータと共に使用できることに留意されたい。
【００２０】
本明細書全体において、電源電圧とはスタータおよび／または放電ランプを作動させるのに実際に使用される電圧を意味するものであり、一部の三相電力接続を、標準的な２３０〜２４０Ｖの幹線接続まで下げるように、まず変換もしくは配線するようなケースでの電源電圧を意味するものではない。より特殊なケースでは、電源電圧は、ランプの両端のランプ電圧（少なくとも２３０Ｖ）と定常状態にできれば十分である。
【００２１】
本発明に係わる特別な実施例では、ガス放電ランプが定常状態で作動しているときに、前記グロースイッチスタータが、４ミリアンペア未満の平均パラレルグロー電流を流すよう、前記イオン化可能な充填ガスが選択されている。このことによって、有効な電流レンジが証明された。
【００２２】
本発明は特に少なくとも公称２５０Ｖ、好ましくは公称約４００Ｖの幹線電源電圧で作動できる、本発明に係わるグロースイッチスタータを有する照明装置に関する。本発明に係わる照明装置の大きな利点は、一般に利用できる三相の幹線電源電圧を使用でき、これによってランプの点滅の問題を生じることなく、上記のように効率が高くなる。
【００２３】
特に、ガス放電ランプは、低圧水銀蒸気ランプ、特にＵＶ（紫外線）蛍光ランプである。本発明によって、よりエネルギー効率の良い照明装置をすることが可能となっている。この代わりに、かつこれに加え、例えばより長い放電容器を使用することにより、例えば同様なランプ電流であるが、より高いランプ電圧を使用し、ランプ電力を高めることができる。ランプ電力をより大きくすることにより、所定の照明レベルを得るのにランプの数を少なくすることができる。更に、照明強度を高めることも可能であり、このことは特にＵＶ照明の場合、例えば日焼けサロンで特に望ましい。
【００２４】
第３の様相では、本発明は請求項１４記載のグロースイッチスタータを備えた照明システムに関する。本発明の第２の様相は、三相幹線に接続可能な照明装置に関するが、第３の様相は、かかる三相幹線に接続され、これら三相幹線を実際に含む照明システムに関する。工業用照明および日焼け装置のような多くの用途を考え付くこともできる。特にこれら装置は、三相の幹線接続を有することが多いが、これら三相幹線接続は（ＵＶ）照明部品のための実際の電源電圧が再び２３０〜２４０Ｖの幹線電圧となるように配線または接続される。本発明によれば、照明部品のための実際の供給電圧は、フルの三相幹線電圧または公称約４００Ｖの電圧である。日焼け装置の設計者は、より大きい電力を必要とするので、本発明は簡単なグロースイッチスタータを使用しながら、追加電力を提供できる。
【００２５】
第３の様相では、本発明は、本発明に係わる照明装置におけるグロースイッチスタータの使用に関する。適合させたグロースイッチスタータを三相の幹線環境内で使用できるように実現したことにより、より高いランプ電圧を使用でき、かつエネルギー効率を高めることができる。
【００２６】
以下、図面を参照し、本発明について詳述する。
【発明を実施するための最良の形態】
【００２７】
図１は、本発明に係わるグロースイッチスタータ１の概略を示す。ここで、参照番号３は実質的に気密状態のハウジングを示し、このハウジングは、イオン化可能な充填媒体５と、第１電極７と、バイメタル部分１１を備えた第２電極９とを有する。参照番号１３は、ハウジング３がシールされているピンチ部を示す。
【００２８】
ハウジング３は、良好なシール特性を有するガラス状材料から製造されることが極めて多い。更に多くのケースでは、かかるガラス状材料は透明であり、これによって周辺光が媒体のイオン化を促進できるようになっている。
【００２９】
電極７および９は、当業者に公知の任意の適当な材料、例えばニッケル−鉄合金から製造できる。電極のうちの少なくとも１つが、充填ガス５内の不純物を低減するためのゲッター手段（図示せず）を設けることができる。電極のうちの少なくとも１つ、例えば電極９には、バイメタル要素１１が設けられ、場合によってはバイメタル要素１１からこの電極９を構成してもよい。非作動状態では、このバイメタル要素は、反対の電極７に対して離間した位置に位置する。ランプをスタートすると、スタータ位置に電源電圧が加えられ、これによって電極７から電極９およびバイメタル１１まで、ガス充填部５のグロー放電が生じる。このグロー放電は、バイメタルを加熱し、これによってバイメタルは形状を変え、反対の電極７に接触する。バイメタルと電極７との接触によってグロー放電は消える。その後、バイメタル１１は低温となり、接触が外れる。ランプバラストから生じる電圧サージによってランプを点灯することができる。
【００３０】
バイメタルスイッチは、一般にバイメタル要素１１と、電極７および９とを備える。バイメタル要素１１は、電極９に電気的に接続されており、加熱後、反対側の電極７に接触する。電極７および９の双方はハウジング３のピンチ部１３を通過するかまたは各々がこのピンチ部を通過するリード線に接続される。かかる詳細については、当業者には周知のことであると見なされる。
【００３１】
グロー時間および点火電圧を決定するには、充填ガス５の特性が重要である。
【００３２】
ａ）６０％のヘリウムおよび４０％のキセノン、
ｂ）１００％のキセノン、および
ｃ）９０％のネオンおよび１０％のアルゴンを含む充填ガスを用いて実験を行った。テストの結果は次のとおりである。
【表１】
2008532239.tif 000003
【００３３】
これらテスト結果に基づけば、良好な点火電圧およびグロー時間でランプの作動中にパラレルグロー電流を十分低くできる充填ガス組成および圧力を良好に選択できることが理解できよう。特にグロー電流は３.５ｍＡ未満とすべきであり、０.５〜２ｍＡの間にすることが好ましい。グロー時間は過度に長くすべきではない。その理由は、グロー時間を長くすると、放電ランプの電極の十分な加熱が防止されるからである。例えば６０％のヘリウム４０％のキセノンの混合物を例にすると、約３５ｍｂａｒまでの圧力が許容できるが、他の圧力を排除するものではない。同様に、純粋なキセノン充填ガスｂ）は、約１５ｍｂａｒまで良好に作動するが、これも他の圧力を排除するものではない。充填ガスｃ）は、点火電圧が低く、グロー電流が大きいので、他の充填ガスほど有効ではない。
【００３４】
上記例は、充填ガスが新しい電圧（４００Ｖ）に適合することを条件に、４００Ｖの作動に適していることを示す。
【００３５】
図２ａは、従来の照明システムを略図で示しているが、一方の図２ｂは本発明に係わる照明システムを略図で示している。
【００３６】
ここで、参照番号１８は、従来のグロースイッチスタータを示し、番号２０はガス放電ランプを示し、２２は、チョークまたはバラストを示し、２４は、２３０Ｖの電源電圧を示す。番号２は、三相幹線電圧を示し、この電圧はボックスまたは回路２８で２３０Ｖの電源電圧となるように変換されている。
【００３７】
ガス放電ランプ２０は、ＵＶ管、例えば日焼け装置のＵＶチューブまたはＴＬランプとすることができ、バラスト２２は蛍光ランプ２０のための電流制限器であり、ランプ２０の電力定格に従って選択される。
【００３８】
図示されている装置では、実際の電源電圧は２３０Ｖであり、この電圧はランプ電圧を実際に前記電源電圧の約３／４に制限する。次にこのことはランプ効率を制限し、バラスト２２および／またはランプ２０の電極にて、比較的大きいエネルギー損失を生じさせる。
【００３９】
多くの用途、例えばプロ用日焼け装置では、電源電圧として三相幹線電源が必要となるように全電力消費量が定められている（ときどき１０ｋＷより大きい）。しかしながら、装置自体内では電源電圧は２３０Ｖまで下げられている。
【００４０】
図２ｂは、本発明に係わる照明システムを略図で示している。同様な部品は同じ参照番号で示されている。本発明に係わるグロースイッチスタータは参照番号１で示されている。
【００４１】
明らかなように、図２ｂに示された装置内の実際の電源電圧は、公称約４００Ｖのフル三相電源電圧であり、これによってランプ電圧をより高くすることが可能となり、その後、バラスト２２内の損失が少ないこと、およびランプ２０内の放電がより効率的となることにより、エネルギー効率がより高くなっている。スタータ１の両端の電圧も、従来の状況とは異なるので、本発明に従ってスタータ１を変更しなければならない。
【００４２】
図３は、４００Ｖの幹線電圧における代表的な低圧放電ランプでの、時間−電圧の概略グラフを示す。各曲線のスタート時に極めて狭い点火ピークがあることが明瞭に理解できよう。このグロースイッチスタータは、この狭いピーク中に最も多く（パラレル）グロー放電を発生する。その理由は、（パラレル）グロー放電は電圧に、より線形に依存するからである。従って、各曲線の残りの間のパラレルグロー放電を無視できる。従って、狭い点火ピーク中のパラレルグロー放電の影響下でも、スタータを開状態のままに維持する作業がある。当然ながら、曲線の残りの間にパラレルグロー放電がより少なくなっても、スイッチを閉じるのにスタータの加熱は不十分となるはずである。
【００４３】
図４は、日焼け装置を含む、本発明に係わる照明システムの略図を示す。この日焼け装置は、ＵＶ−Ａ光およびＵＶ−Ｂ光（図４にはそのうちの１つのランプしか示されていない）を発生するための１０個の蛍光ランプ３０を示す。２つの隣接する蛍光ランプの間の距離ｄは、一般に４０〜４５ｍｍである。別の実施例では、異なる数の蛍光ランプが存在していてもよいし、および／または２つの隣接するランプの間の距離ｄを変えてもよい。蛍光ランプは、図２には示されているが、図４には示されていないように、グロースイッチスタータ、バラストおよび三相幹線電源電圧に結合されている。別の実施例では、三相幹線電圧電源は１０個すべての蛍光ランプのための単一電源とすることができる。この日焼け装置は、日焼け装置を使用中に、蛍光ランプが発生したＵＶ（紫外線）光をこの日焼け装置を使用する人の方向に反射するための反射器３２を更に含む。この反射器３２は光の分布を一様にするための専用の形状を有する。別の実施例では、光の分布を一様にするために、異なる反射器形状を使用できる。蛍光ランプは一般にヘリウムとネオンの混合物を備え、ネオンに対するヘリウムの比は１：３であるが、別の実施例では、異なる比を使用することもできる。日焼け装置の使用中に蛍光ランプは２８０〜３２０Ｖのランプ電圧および１.４〜１.８Ａのランプ電流で一般に作動する。蛍光ランプは公知の日焼け装置と比較して、より高いランプ電圧で作動できるので、ランプ電力を高めることが可能である。ランプ電力をより大きくした結果、公知の日焼け装置と比較し、日焼け装置内の蛍光ランプの数を少なくすることができる。例えば公知の日焼け装置では一般に２０個の蛍光ランプが存在し、一般に２３０〜２４０Ｖのランプ電圧で作動可能である。本発明に係わる日焼け装置の効率がより高いことにより、エネルギー消費量はより少なくなっている。本発明に係わる日焼け装置では、バラストおよびスタータの数だけでなく、配線の数も少なくなっているので、蛍光ランプの数が少ないことに起因し、部品のコストも同じように低くなっている。
【００４４】
本発明の範囲内の変形された形態で、グロースイッチスタータをより高い電圧で使用することが可能であることが理解できよう。本発明はこれまで説明した実施例によって限定されると見なしてはならず、本発明の範囲は特許請求の範囲のみによって決定すべきである。
【図面の簡単な説明】
【００４５】
【図１】本発明に係わるグロースイッチスタータを略図で示す。
【図２ａ】従来の照明システムを略図で示す。
【図２ｂ】本発明に係わる照明システムを略図で示す。
【図３】ランプの時間と電圧の関係を略図で示すグラフである。
【図４】日焼け装置を含む、本発明に係わる照明システムの一部を略図で示す。
【符号の説明】
【００４６】
３    ハウジング
５    充填ガス
７    第１電極
９    第２電極
１１    バイメタル部分
１３    ピンチ部
【図１】
2008532239.tif 000004
【図２ａ】
2008532239.tif 000005
【図２ｂ】
2008532239.tif 000006
【図３】
2008532239.tif 000007
【図４】
2008532239.tif 000008
【国際調査報告】
2008532239.tif 000009
2008532239.tif 000010
2008532239.tif 000011